(57)【要約】【課題】床面に生じた水が点検口等の開口下へ漏れるのを防止する防水機能に優れた浴室防水パンの開口部構造を提供する。【解決手段】  浴室の防水パン１のパン本体１１の凹部に作業用の開口４を設け、この開口４の外周に載置面５が形成され、載置面５の外周には凹状の溝６が形成されている。この載置面５に設置される蓋７は凹部を埋めつつ溝６を覆うように被され、蓋７と溝６とで囲まれる空間部８を設ける。この空間部８に遮水性のある樹脂８を設け、蓋７を空間部８を避けた載置面５でパン本体１１と面一になるようビス９で接合する。密着材１０が切れた場合でも優れた防水機能を保つことができる。【選択図】図２
2006104741.tif 000002
【特許請求の範囲】
【請求項１】
浴室の作業又は点検を行なうための開口が設けられた浴室防水パンの開口部構造において、
前記開口はパン本体の凹部に設けられ、該パン本体には該凹部を埋めつつ該開口を覆う蓋が設置され、該パン本体における該蓋を載置する載置面の周囲に溝が設けられ、該溝と該蓋とにより囲まれる空間部が形成されていることを特徴とする浴室防水パンの開口部構造。
【請求項２】
前記空間部には遮水性のある樹脂が設けられていることを特徴とする請求項１記載の浴室防水パンの開口部構造。
【請求項３】
前記蓋が透明であることを特徴とする請求項１又は２記載の浴室防水パンの開口部構造。
【請求項４】
前記蓋が前記載置面に対してネジ、クランプ及び両面防水テープの少なくとも一つによって接合されていることを特徴とする請求項１乃至３のいずれか１項記載の浴室防水パンの開口部構造。
【請求項５】
前記蓋の上部に下地材が載置されていることを特徴とする請求項１乃至４のいずれか１項記載の浴室防水パンの開口部構造。
【発明の詳細な説明】
【技術分野】
【０００１】
本発明は、浴室防水パンの作業用又は点検用の開口部構造に関するものである。
【背景技術】
【０００２】
従来、浴室の防水パンには作業や点検を行うための開口が設けられている。特許文献１には、その開口としての点検口の外周に排水溝が形成され、点検口の内側のフランジ上に内蓋をシールした状態で載置し、化粧蓋を前記排水溝に浴室床面と面一状に敷設することが開示されている（第０００５段落、図２等）。
【特許文献１】特開平９−１５８２８２号公報
【発明の開示】
【発明が解決しようとする課題】
【０００３】
上記特許文献１開示の点検口周辺の構造にあっては、前記化粧蓋とパン本体の浴室床面との隙間がシールされていないため、その隙間から浴室床面上に生じた湯水が溝としての排水溝に浸水しやすく、湯水が排水溝に溜って内蓋表面上にも到達する。一方、その構造にあっては、点検口下への防水機能をシーリングのみで行っているため、それが十分ではなく、劣化等によりシーリングに切れが生じた場合などには全く点検口への防水機能を果たさなくなる。したがって、この構造においては、内蓋表面上の水が点検口下へ漏れやすいという問題点を生じていた。
【０００４】
本発明は、上記従来の問題点を解消し、床面に生じた水が点検口等の開口下へ漏れるのを防止する防水機能に優れた浴室防水パンの開口部構造を提供することを目的とする。
【課題を解決するための手段】
【０００５】
請求項１の浴室防水パンの開口部構造は、浴室の作業又は点検を行なうための開口が設けられた浴室防水パンの開口部構造において、
前記開口はパン本体の凹部に設けられ、該パン本体には該凹部を埋めつつ該開口を覆う蓋が設置され、該パン本体における該蓋を載置する載置面の周囲に溝が設けられ、該溝と該蓋とにより囲まれる空間部が形成されていることを特徴とするものである。
【０００６】
請求項２の浴室防水パンの開口部構造は、請求項１において、前記空間部には遮水性のある樹脂が設けられていることを特徴とするものである。
【０００７】
請求項３の浴室防水パンの開口部構造は、請求項１又は２において、前記蓋が透明であることを特徴とするものである。
【０００８】
請求項４の浴室防水パンの開口部構造は、請求項１乃至３のいずれか１項において、前記蓋は前記載置面に対してネジ、クランプ及び両面防水テープの少なくとも一つによって接合されていることを特徴とするものである。
【０００９】
請求項５の浴室防水パンの開口部構造は、請求項１乃至４のいずれか１項において、前記蓋の上部に下地材が載置されていることを特徴とするものである。
【発明の効果】
【００１０】
請求項１の浴室防水パンの開口部構造にあっては、パン本体の凹部に開口が設けられ、単一の蓋がその凹部を埋めつつ開口を覆い、溝と蓋とにより空間部が形成される。したがって、蓋の上面に生じた水は、蓋の上面を端部まで流れた後、空間部を経て開口に到達することになる。このため、蓋の上面から開口までの湯水の移動距離が長くなり、その間に湯水は蒸発することができ、蒸発しきれなかった湯水は空間部にてトラップされる。さらに、空間部の底面に生じた湯水は、溝の高低差によって載置面を浸水することはなく、開口へ到達することはない。したがって、浴室床面で生じた湯水の開口の下への漏れが防止される。
【００１１】
請求項２の浴室防水パンの開口部構造にあっては、空間部に遮水性のある樹脂が設けられているため、空間部の水が樹脂によって堰き止められ、開口への防水が一層向上する。
【００１２】
請求項３の浴室防水パンの開口部構造にあっては、蓋が透明であるため、室内側から蓋を閉じた状態で樹脂の欠損等、施工状態を容易に確認することができる。
【００１３】
請求項４の浴室防水パンの開口部構造にあっては、蓋の固定をビス等のネジ、クランプ及び両面防水テープの少なくとも一つで行う場合において、ネジ等を空間部を介さないよう載置面で固定しているため、湯水が万一空間部に生じたとしても、溝によって載置面と空間部の底面とに段差があるため、載置面にまで湯水が及ぶことはない。したがって、ネジ等を通して開口の下側へ水漏れすることがなく、防水性能が向上する。
【００１４】
請求項５の浴室防水パンの開口部構造にあっては、下地材によって蓋が露出せず、蓋や樹脂の劣化を防止して優れた耐久性を発揮することができるとともに、仕上材の選択の自由度が増して優れた意匠の浴室が得られる。
【発明を実施するための最良の形態】
【００１５】
以下に図面を参照して本発明の実施例について説明する。図１は実施例に係る浴室の防水パンの全体の平面図、図２は図１のＡ−Ａ線断面図、図３及び図４は実施例の浴室防水パンの開口部構造を用いた浴室の完成図である。
【００１６】
図１に示すように、本実施例の浴室の防水パン１のパン本体１１が洗い場領域２と浴槽設置領域３とを有しており、パン本体１１の洗い場領域２に作業を行うための開口４が開設されている。なお、開口４は浴槽設置領域３に設けられていてもよい。また、この浴室の防水パン１は、洗い場領域２と浴槽設置領域３とが一体に形成されていても、別体で構成されていても構わない。さらには、この防水パン１は、洗い場領域２、浴槽設置領域３のそれぞれで分割されたサイズ変更が可能な分割防水パンであってもよい。
【００１７】
本実施例の浴室防水パンの開口部構造では、図２に詳細を示すように、開口４がパン本体１１の凹部に設けられ、パン本体１１には凹部を埋めつつ開口４を覆う蓋７が設置されている。また、パン本体１１における蓋７を載置する載置面５の周囲には凹状の溝６が設けられ、溝６と蓋７とにより囲まれる空間部が形成されている。空間部には遮水性のある樹脂８が設けられている（以下、空間部も符号８を付す。）。
【００１８】
樹脂８は予め成形したものであるが、充填材を注入してこの樹脂８を形成してもよい。樹脂８としては、発泡系止水材（ポリウレタンタイプ、ポリエチレンタイプ、ゴムスポンジタイプ）、弾性系止水材（ブチルゴム系、シリコーンゴム系、ゴムアスファルト系）、シリコーンシーラント等を用いることができる。なお、空間部８全てを埋め尽くすように樹脂８を配置してもよいが、樹脂８が連続しておれば、樹脂８を挟んで防水床側又は／及び蓋載置面側に空間部８を残しても構わない。また、樹脂８は蓋７と溝６の底面とが接するよう設置すればよいが、樹脂８に弾性がある場合、溝６の深さより高さのある樹脂８を用いるのが好ましい。
【００１９】
蓋７は厚さ１０ｍｍのアクリル板からなる。この蓋７は、凹部を埋める覆うように載置面５に被せられ、樹脂８の上から載置面５を介して蓋７と蓋載置面５とがネジとしてのビス９によって固定されている。樹脂８は溝６の深さより高さのあるものであるため、蓋７の上面がパン本体１１と面一になるように蓋７で樹脂８を押さえつけることによって、蓋７と溝６の底面とに樹脂８を十分に密着させることができる。
【００２０】
さらに、蓋７を載置面５を介してビス９でパン本体１１下部の補強フレーム１２に固定する。続いて、ビス９の上から密着材１０でビス頭を覆う。密着材１０としては、シリコーンシーラント、ブチルゴムシーラント、変性シリコーンシーラント等を用いることができる。蓋７と載置面５とは空間部８とは異なる位置にビス止めしている。したがって、溝６の底面と載置面５との間には段差があり、空間部８の底面に生じた湯水が載置面５に到達することないため、ビス９を通じて開口４の下部に湯水が漏れることがなく、防水性が向上する。
【００２１】
また、ビス頭の上部に密着材１０を施している。したがって、ビス９に湯水が触れず、ビス９に錆などが発生することがないため、ビス９の耐久性が向上すると共に、ビス９を通じて湯水がパン本体１１の下部へ漏れることもない。すなわち、耐久性をもった蓋７、パン本体１１の強固な固定が可能である。なお、固定方法としては、ビス止めに限らず、有機系接着剤を用いてもよい。この有機系接着剤としては、エポキシ系、変性シリコーン系、ブチルゴム系、アクリルエマルジョン系等を用いることができる。この場合、溝６からの水を接着剤によって止めることができ、接着剤が防水層の役割も果たす。さらに、ビス止めと接着剤固定との両方を用いてもよい。この場合、防水機能を高め、かつ蓋７を強固に洗い場領域２の表面のパン本体１１と一体化できる。最後に、蓋７の外周とパン本体１１との隙間にも密着材１０を充填する。
【００２２】
このようにして形成された構造では、蓋７の上面に生じた湯水が空間部８に到達するのに蓋７とパン本体１１との境界上に達する必要があり、蓋７の上面を湯水が流れる間に湯水が蒸発することができる。そして、蓋７とパン本体１１との境界上に達するまでに蒸発しきれなかった湯水は、空間部８の樹脂８で堰き止められるため、開口４の下部へ湯水が漏れることが防止される。また、蓋７として、透明なアクリル板を用いているため、蓋７を固定したままで開口４の下部の様子を見ることができ、防水パン１上から開口４の下部の点検を行える。蓋７は、アクリル板の他に、ＦＲＰ、プラスチック、ステンレスでもよく、特に限定されない。
【００２３】
また、パン本体１１上に生じた湯水は密着材１０によって空間部８への浸入が阻止される。もし密着材１０の劣化によりパン本体１１と蓋７との境界に隙間が生じたとしても、蓋７の上面の湯水はパン本体１１と蓋７との境界上まで達する必要があり、その間に湯水が蒸発することができるため、空間部８に浸水する湯水を減少させることが可能である。さらに、湯水は、空間部８に到達したとしても、樹脂８によって堰き止められるため、容易に載置面５に浸水することはない。また、溝６の底面と載置面５とには高低差があり、加えてビス９及び接着剤によって載置面５及び蓋７又は蓋７及び溝６の底面に樹脂８が強固に密着されているため、載置面５に浸水が生じることはない。したがって、ビス９や載置面５を湯水が通じて開口４へ到達しにくい。以上のように、実施例の開口部構造は防水性に非常に優れた構造である。
【００２４】
上記のように、上記の構造を有する防水パン１をそのまま使用しても十分な防水性が得られるが、本実施例では、図３及び図４に示すように、上記の防水パン１に発泡板１３及び下地板１４又は下地材１４のみを載置し、さらにその上に仕上材１５としてのタイルを貼着して浴室とすることができる。
【００２５】
下地板１４は両表面側に補強ガラス繊維のメッシュシートが埋め込まれたセメントボードが用いられたものである。下地板１４としては、曲げ応力が発生して弾性変形したときに、仕上材１５の破損の原因となる大きな亀裂が生じることはなく、仕上材１５の破損の原因とならない微細なクラック（マイクロクラック）が発生するものや、繊維強化セメント板等が選択される。セメントボードを防水パン１上に接着剤を用いて接着し、その上に仕上材１５等の化粧仕上げ材を接着剤を用いて貼着して完成させて浴室が得られる。
【００２６】
仕上材１５としては、木、樹脂パネル、塗り材、ガラス、樹脂シート、鋼板、樹脂木材、磁器質タイル、石器質タイル、陶器質タイル又は石板等の無機質の板材等の意匠パネルから選択される。接着剤としては、変成シリコン系接着剤、エポキシ系接着剤、アクリルエマルジョン系接着剤又はポリマーセメント系接着剤が選択される。
【００２７】
このようにして得られた浴室の洗い場は、蓋７の外周と防水パン１との隙間に充填された密着材１０が表面に剥き出しにならないため、密着材１０の耐久性が優れて向上する。さらに意匠性にも優れた浴室となる。
【図面の簡単な説明】
【００２８】
【図１】浴室を構成する防水パンの平面図である。
【図２】図１のＡ−Ａ線断面図である。
【図３】浴室の平面図である。
【図４】図３のＢ−Ｂ線断面図である。
【符号の説明】
【００２９】
１…防水パン、２…洗い場領域、３…浴槽設置領域、４…開口、５…載置面、６…溝、７…蓋、８…空間部、樹脂、９…ビス（ネジ）、１０…密着材、１１…パン本体
【図１】
2006104741.tif 000003
【図２】
2006104741.tif 000004
【図３】
2006104741.tif 000005
【図４】
2006104741.tif 000006